【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
内側に磁極歯が形成される円筒形状のヨーク、ステータコイル及び前記ステータコイルへの給電端子を備えたステータ組立体を樹脂でモールドしてなる電磁的駆動コイル装置であって、
別々の工程により成形された前記ステータ組立体と前記給電端子を包み込むコネクタ枠部材とを一体構成としたことを特徴とする電磁的駆動コイル装置。
【請求項２】
請求項１に記載の電磁的駆動コイル装置であって、
前記コネクタ枠部材を予め成形しておき、前記ステータ組立体に前記コネクタ枠部材を挿入して全体を一体的にモールド成形して構成したことを特徴とする電磁的駆動コイル装置。
【請求項３】
請求項１に記載の電磁的駆動コイル装置であって、
予めモールド成形した前記ステータ組立体をインナーモールド体とし、当該インナーモ
ールド体に対してアウターモールドにより前記コネクタ枠部材を一体的に成形したことを特徴とする電磁的駆動コイル装置。
【請求項４】
内側に磁極歯が形成される円筒形状のヨークと、ステータコイル及び前記ステータコイルへの給電端子を備えたステータ組立体を樹脂でモールドして成形する電磁的駆動コイル装置の成形方法であって、
前記ステータ組立体と前記給電端子を包み込むコネクタ枠部材とを別々の工程により成形して一体構成とすることを特徴とする電磁的駆動コイル装置の成形方法。
【請求項５】
請求項４に記載の電磁的駆動コイル装置の成形方法であって、
前記コネクタ枠部材を予め成形しておき、前記ステータ組立体に前記コネクタ枠部材を挿入した上で、全体を一体的にモールド成形することを特徴とする電磁的駆動コイル装置の成形方法。
【請求項６】
請求項４に記載の電磁的駆動コイル装置の成形方法であって、
第１工程として、前記ステータ組立体をインナーモールド成形し、次いで、第２工程として、アウターモールド成形により前記コネクタ枠部材を一体的に成形したことを特徴とする電磁的駆動コイル装置の成形方法。
【請求項７】
ステータコイルを巻いたボビンと、磁極歯を備えたヨークとをステータ組立体とし、
該ステータ組立体と、前記ボビンへ給電する給電端子と、を樹脂材でモールド成形する
電磁的駆動コイル装置の成形方法であって、
前記ステータ組立体に備えた前記ステータコイルの一端と前記給電端子とを連結した状
態でインナーモールド成形を行い、
該インナーモールド成形後に、インナーモールド成形された前記ステータ組立体の外周
部と、前記給電端子の外側と、を覆うようにしてアウターモールド成形をすることを特徴
とする電磁的駆動コイル装置の成形方法。
【請求項８】
請求項７に記載の電磁的駆動コイル装置の成形方法であって、
前記インナーモールド成形を行うときには、低圧で保圧工程を行い、
前記アウターモールド成形を行うときには、前記低圧保圧よりも高圧で保圧工程を行う
ことを特徴とする電磁的駆動コイル装置の成形方法。
【請求項９】
請求項７又は８に記載の電磁的駆動コイル装置の成形方法であって、
前記インナーモールド成形を行うときの樹脂材と、前記アウターモールド成形を行うと
きの樹脂材とは、同種の樹脂材料で成形されることを特徴とする電磁的駆動コイル装置の
成形方法。
【請求項１０】
請求項７乃至９の何れか一項に記載の電磁的駆動コイル装置の成形方法であって、
前記ヨークの側壁に導入穴を設け、前記インナーモールド成形を行うときの樹脂材を、
前記導入穴を通じて前記ヨークの内側に導入することを特徴とする電磁的駆動コイル装置
の成形方法。
【請求項１１】
請求項７乃至９の何れか一項に記載の電磁的駆動コイル装置の成形方法であって、
前記ヨークは、対向して配置された上側ヨーク及び下側ヨークより成り、
前記上側及び下側ヨークは、それぞれ内ヨーク及び外ヨークより成り、
前記インナーモールド成形を行うときには、前記ステータ組立体に前記外ヨークを未装
着で行うことを特徴とする電磁的駆動コイル装置の成形方法。
【請求項１２】
請求項１０に記載の電磁的駆動コイル装置の成形方法であって、
前記導入穴は前記ヨークの側壁に複数設けられており、前記インナーモールド成形を行
うときには、前記ヨークの側壁に複数設けられた前記導入穴を通じて前記ヨークの内側に
前記樹脂材を導入し、
前記アウターモールド成形を行うときに導入される樹脂材は、１箇所の樹脂注入口から
導入されることを特徴とする電磁的駆動コイル装置の成形方法。
【手続補正２】
【補正対象書類名】明細書
【補正対象項目名】０００７
【補正方法】変更
【補正の内容】
【０００７】
本発明の電磁的駆動コイル装置は、
内側に磁極歯が形成される円筒形状のヨーク、ステータコイル及び前記ステータコイルへの給電端子を備えたステータ組立体を樹脂でモールドしてなる電磁的駆動コイル装置であって、
別々の工程により成形された前記ステータ組立体と前記給電端子を包み込むコネクタ枠部材とを一体構成としたことを特徴とする。
【手続補正３】
【補正対象書類名】明細書
【補正対象項目名】０００８
【補正方法】変更
【補正の内容】
【０００８】
さらに、本発明の電磁的駆動コイル装置は、
前記コネクタ枠部材を予め成形しておき、前記ステータ組立体に前記コネクタ枠部材を挿入して全体を一体的にモールド成形して構成したことを特徴とする。
【手続補正４】
【補正対象書類名】明細書
【補正対象項目名】０００９
【補正方法】変更
【補正の内容】
【０００９】
さらに、本発明の電磁的駆動コイル装置は、
予めモールド成形した前記ステータ組立体をインナーモールド体とし、当該インナーモ
ールド体に対してアウターモールドにより前記コネクタ枠部材を一体的に成形したことを特徴とする。
【手続補正５】
【補正対象書類名】明細書
【補正対象項目名】００１０
【補正方法】変更
【補正の内容】
【００１０】
本発明の電磁的駆動コイル装置の成形方法は、
内側に磁極歯が形成される円筒形状のヨークと、ステータコイル及び前記ステータコイルへの給電端子を備えたステータ組立体を樹脂でモールドして成形する電磁的駆動コイル装置の成形方法であって、
前記ステータ組立体と前記給電端子を包み込むコネクタ枠部材とを別々の工程により成形して一体構成とすることを特徴とする。
【手続補正６】
【補正対象書類名】明細書
【補正対象項目名】００１１
【補正方法】変更
【補正の内容】
【００１１】
さらに、本発明の電磁的駆動コイル装置の成形方法は、
前記コネクタ枠部材を予め成形しておき、前記ステータ組立体に前記コネクタ枠部材を挿入した上で、全体を一体的にモールド成形することを特徴とする。
【手続補正７】
【補正対象書類名】明細書
【補正対象項目名】００１２
【補正方法】変更
【補正の内容】
【００１２】
さらに、本発明の電磁的駆動コイル装置の成形方法は、
第１工程として、前記ステータ組立体をインナーモールド成形し、次いで、第２工程として、アウターモールド成形により前記コネクタ枠部材を一体的に成形したことを特徴とする。
【手続補正８】
【補正対象書類名】明細書
【補正対象項目名】００１９
【補正方法】変更
【補正の内容】
【００１９】
本発明の電磁的駆動コイル装置は、内側に磁極歯が形成される円筒形状のヨーク、ステ
ータコイル及び前記ステータコイルへの給電端子を備えたステータ組立体を樹脂でモールドしてなる電磁的駆動コイル装置であって、
別々の工程により成形された前記ステータ組立体と前記給電端子を包み込むコネクタ枠部材とを一体構成としたことにより、複雑な構造のステータ組立体のモールドと、精度が要求されるコネクタ部のモールドを確実に達成できるものである。
【手続補正９】
【補正対象書類名】明細書
【補正対象項目名】００２０
【補正方法】変更
【補正の内容】
【００２０】
つまり、本発明の電磁的駆動コイル装置は、ステータ組立体とコネクタ枠部材を別体の部材とすることにより、複雑な構造を備えたステータ組立体と精密なモールドが要求されるコネクタ枠部材とを別々のモールドにより構成することができる。